(57)【要約】      （修正有）【課題】大きな開蓋面積を確保し、小型化が可能である電子機器及び蓋体装置を提供する。【解決手段】一端がシャーシ２に回動自在に支持されている第１の蓋体３と、一端が第１の蓋体３の他端に回動自在に支持され他端がシャーシ２に移動自在に支持されている第２の蓋体４と、シャーシ２に回動自在に配され駆動機構６から伝達される駆動力によって間欠駆動される補助アーム８とを備え、第１の蓋体３と第２の蓋体４は、ディスクメカニズムを覆う第１の位置と、ディスクメカニズムを開放する第２の位置とに変位可能であり、第１の位置から第２の位置へ変位する際、第２の蓋体４は、第２の位置近傍において補助アーム８によって開蓋方向へ押圧される。【選択図】図１１Ａ
2007234105.tif 000002
【特許請求の範囲】
【請求項１】
シャーシと、
一端が前記シャーシに回動自在に支持されている第１の蓋体と、
一端が前記第１の蓋体の他端に回動自在に支持され、他端が前記シャーシに移動自在に支持されている第２の蓋体と、
前記第１の蓋体を回動駆動する駆動機構と、
前記シャーシに回動自在に配され、前記駆動機構から伝達される駆動力によって間欠駆動される補助アームとを備え、
前記第１の蓋体と前記第２の蓋体は、閉じている第１の位置と、開いている第２の位置とに変位可能であり、
前記第１の位置から前記第２の位置へ変位する際、前記第２の蓋体は、前記第２の位置近傍において前記補助アームによって開蓋方向へ押圧されることを特徴とする蓋体装置。
【請求項２】
前記駆動機構は、
駆動源によって、前記第１の位置と前記第２の位置との間を連続的に駆動され、
前記駆動機構の減速段の途中に、前記駆動機構の駆動範囲の一部でのみ駆動される間欠ギアを備え、
前記補助アームは、前記間欠ギアにより駆動される請求項１記載の蓋体装置。
【請求項３】
前記補助アームにおいて、前記第２の蓋体に当接する箇所に弾性部を備えた請求項１記載の蓋体装置。
【請求項４】
前記第２の蓋体の他端に配されているローラ軸部と、
前記シャーシにおいて、前記第２の蓋体の側方で、開閉方向に沿って形成されているガイド溝部とを、さらに備え、
前記ローラ軸部は、前記ガイド溝部に支持されて案内され、
前記ガイド溝部は、前記第２の蓋体の開蓋寄りの溝終端部近傍の溝幅を、前記溝終端部近傍以外の部分の溝幅よりも大きく形成されている請求項１記載の蓋体装置。
【請求項５】
情報媒体を内部に着脱可能な電子機器であって、
情報媒体全体を収容し得る大きさの筐体と、
前記筐体内に配されているシャーシと、
前記筐体内に配され、前記情報媒体を着脱可能な媒体保持部と、
一端が前記シャーシに回動自在に支持されている第１の蓋体と、
一端が前記第１の蓋体の他端に回動自在に支持され、他端が前記シャーシに移動自在に支持されている第２の蓋体と、
前記第１の蓋体を回動駆動する駆動機構と、
前記シャーシに回動自在に配され、前記駆動機構から伝達される駆動力によって間欠駆動される補助アームとを備え、
前記第１の蓋体と前記第２の蓋体は、前記媒体保持部を覆う第１の位置と、前記媒体保持部を開放する第２の位置とに変位可能であり、
前記第１の位置から前記第２の位置へ変位する際、前記第２の蓋体は、前記第２の位置近傍において前記補助アームによって開蓋方向へ押圧されることを特徴とする電子機器。
【発明の詳細な説明】
【技術分野】
【０００１】
本発明は、ディスク状媒体などの情報媒体を機器内へ着脱可能な電子機器に関するものであり、特に媒体収納部を覆う蓋体装置に関する。
【背景技術】
【０００２】
ＣＤ（Compact Disk）やＤＶＤ（Digital Versatile Disk）等のディスク媒体を着脱可能な電子機器の場合、機器におけるディスク装着部を覆う蓋体の開閉に関しては、過去種々の構成が用いられていた。
【０００３】
最も簡易な構成としては、ディスク装着部全体をカバーする１枚の蓋体を、機器に回動自在に配する構成がある（例えば、特許文献１参照）。このような構成では、開蓋角度を大きく取ることができ、ディスクの着脱を良好に行うことができる。
【０００４】
また、蓋体を２片に分割し、２片の蓋体を互いにヒンジ機構で連結させた構成がある（例えば、特許文献２参照）。このような構成では、開閉動作範囲を小さくでき、機器周囲に広い空間を必要としない。また、蓋体の開閉動作範囲を小さくでき、品位を改善することができる。
【特許文献１】特開２００２−２０８２０７号公報（第１３図）
【特許文献２】特許第３１２７９４０号公報
【発明の開示】
【発明が解決しようとする課題】
【０００５】
しかしながら、特許文献１に開示された構成では、開蓋角度が大きいため、機器の前部や上部に蓋体の動作を妨げるものがない場所にしか設置できず、設置場所が限られてしまうという問題点があった。
【０００６】
また、特許文献２に開示された構成では、開蓋終端に近づくにつれ力の作用方向が変化して駆動負荷が増大し、十分な開蓋面積を確保することが困難となる。これを回避しようとして、蓋体の回動軸の位置を外方（ディスク中心から離れる方向）に移動させて配置すると、機器が大型化してしまうという問題点があった。
【０００７】
本発明は、上記問題点に鑑み、大きな開蓋面積を確保し、小型化が可能である電子機器及び蓋体装置を提供するものである。
【課題を解決するための手段】
【０００８】
上記課題を解決するために本発明の蓋体装置は、開口部を備えたシャーシと、一端が前記シャーシに回動自在に支持されている第１の蓋体と、一端が前記第１の蓋体の他端に回動自在に支持され、他端が前記シャーシに移動自在に支持されている第２の蓋体と、前記第１の蓋体を回動駆動する駆動機構と、前記シャーシに回動自在に配され、前記駆動機構から伝達される駆動力によって間欠駆動される補助アームとを備え、前記第１の蓋体と前記第２の蓋体は、前記開口部を覆う第１の位置と、前記開口部を開放する第２の位置とに変位可能であり、前記第１の位置から前記第２の位置へ変位する際、前記第２の蓋体は、前記第２の位置近傍において前記補助アームによって開蓋方向へ押圧されるものである。
【０００９】
本発明の電子機器は、情報媒体を内部に着脱可能な電子機器であって、情報媒体全体を収容し得る大きさの筐体と、前記筐体内に配されているシャーシと、前記筐体内に配され、前記情報媒体を着脱可能な媒体保持部と、一端が前記シャーシに回動自在に支持されている第１の蓋体と、一端が前記第１の蓋体の他端に回動自在に支持され、他端が前記シャーシに移動自在に支持されている第２の蓋体と、前記第１の蓋体を回動駆動する駆動機構と、前記シャーシに回動自在に配され、前記駆動機構から伝達される駆動力によって間欠駆動される補助アームとを備え、前記第１の蓋体と前記第２の蓋体は、前記媒体保持部を覆う第１の位置と、前記媒体保持部を開放する第２の位置とに変位可能であり、前記第１の位置から前記第２の位置へ変位する際、前記第２の蓋体は、前記第２の位置近傍において前記補助アームによって開蓋方向へ押圧されるものである。
【発明の効果】
【００１０】
本発明は、開蓋面積を大きく確保できるとともに、機器の小型化が可能であるという優れた効果を奏する。
【発明を実施するための最良の形態】
【００１１】
本発明の蓋体装置は、前記駆動機構は、駆動源によって、前記第１の位置と前記第２の位置との間を連続的に駆動され、前記駆動機構の減速段の途中に、前記駆動機構の駆動範囲の一部でのみ駆動される間欠ギアを備え、前記補助アームは、前記間欠ギアにより駆動される構成としてもよい。
【００１２】
また、前記補助アームにおける前記第２の蓋体に当接する箇所に、弾性部を備えた構成としてもよい。
【００１３】
また、前記第２の蓋体の他端に配されているローラ軸部と、前記シャーシにおいて、前記第２の蓋体の側方で、開閉方向に沿って形成されているガイド溝部とを、さらに備え、前記ローラ軸部は、前記ガイド溝部に支持されて案内され、前記ガイド溝部は、前記第２の蓋体の開蓋寄りの溝終端部近傍の溝幅を、前記溝終端部近傍以外の部分の溝幅よりも大きく形成されている構成としてもよい。
【００１４】
本発明は、開蓋終端の動作負荷を低減し、開蓋角度を増し、開蓋面積を十分確保できることにより、ディスクの着脱操作性を保つことができる。また、少ないスペースに機構を収めることができる。また、動作品位の良好な蓋体装置を提供できる。
【００１５】
（実施の形態１）
図１及び図２は、実施の形態１の蓋体装置が搭載されている機器の閉蓋、及び開蓋状態を示す外観斜視図である。
【００１６】
１．蓋体装置の構成
１−１．機器の構成
図１及び図２において、機器本体１は、内部にＣＤやＤＶＤなどのディスク状媒体を着脱可能な機器であり、例えばＣＤプレーヤーやＤＶＤレコーダーなどに相当する。また、機器本体１は、前キャビネット１ａ及び後キャビネット１ｂとで筐体が構成されている。なお、本実施の形態では、機器本体１に対してディスクを容易に着脱可能なように、前キャビネット１ａの主面が設置面に対して６０〜８０°程度傾斜して設置可能な全体形状になっているが、設置面に対して水平あるいは垂直に設置可能な形状であってもよい。
【００１７】
前キャビネット１ａは、主面上に少なくともディスクを着脱可能な開口部が形成されており、その開口部を覆うことができるように第１の蓋体３、第２の蓋体４が配されている。また，前キャビネット１ａには、電源ＯＮ／ＯＦＦやディスクの再生／停止操作などを行うことができる操作ボタン１６が配されている。
【００１８】
後キャビネット１ｂは、ディスクメカニズム１３（後述）、各種回路基板、電源ユニットなどが内蔵されている。なお、本装置の筐体は、前キャビネット１ａと後キャビネット１ｂとから構成されている。
【００１９】
第１の蓋体３及び第２の蓋体４は、互いにヒンジ軸５を介して回動自在に連結されている。また、第１の蓋体３は、ヒンジ軸５が配されている縁部に対向する縁部が、機器本体固定されたシャーシ２に回動自在に軸支されている。また、第２の蓋体４は、ヒンジ軸５が配されている縁部に対向する縁部が、シャーシ２に形成されているガイド溝部２ｃ（後述）に移動自在に支持されている。また、第１の蓋体３及び第２の蓋体４は、図３におけるディスク１４の範囲を概ねカバーしている。
【００２０】
シャーシ２は、後キャビネット１ｂに内蔵されており、ディスクメカニズム１３などが保持されている。なお、シャーシ２は、第１の蓋体３及び第２の蓋体４などを支持する保持体の一例である。
【００２１】
ターンテーブル１３ａは、ディスク１４の中心孔に嵌合可能であるとともに、モータなどの駆動手段によって所定回転数にて回転駆動される。なお、本実施の形態では、ターンテーブル１３ａのみでディスク１４を保持する構成としているが、ターンテーブル１３ａに対向する部位（例えば第１の蓋体３または第２の蓋体４の裏面）に、ターンテーブル１３ａに対して磁気吸着可能なクランパを配し、ターンテーブル１３ａとクランパとでディスク１４を挟持する構成でもよい。
【００２２】
１−２．蓋体の開閉機構
図３は、前キャビネット及び蓋体部分を取り外した状態を示す正面図である。図４及び図５は、蓋体の各動作状態を説明するための側面図である。なお、図４及び図５は、図３における矢印Ｚ方向から見た側面図であり、説明の便宜上、不要な構成については図示を省略してある。図６〜図８は、図３におけるＸ−Ｘ部分の断面図である。図９は、ディスクを取り出す動作を説明するための断面図である。図１０Ａ、図１１Ａ、図１２Ａは、図３におけるＹ−Ｙ部分の断面図である。図１０Ｂ、図１１Ｂ、図１２Ｂは、それぞれ図１０Ａ、図１１Ａ、図１２Ａにおける要部拡大図である。
【００２３】
なお、図４及び図６は閉蓋状態である。図５、図８、図９、図１２Ａ、図１２Ｂは閉蓋状態である。図６、図７、図１０Ａ、図１０Ｂ、図１１Ａ、図１１Ｂは開閉途中の状態である。
【００２４】
図３及び図４において、シャーシ２は、ギア受け部２ａと、蓋軸受部２ｂと、ガイド溝部２ｃとを備えている。ギア受け部２ａは、シャーシ２の縦壁に相当し、中間ギア６ｄや間欠ギア７などのギア類が、回転自在に保持されている。蓋軸受部２ｂは、第１の蓋体３に配されている蓋軸３ｂを回転自在に軸支しており、対向した２カ所に配されている。ガイド溝部２ｃは、図４に示すように、シャーシ２の一方の縦壁において、蓋体の開閉方向に略平行な方向でかつ、蓋体を閉蓋および開蓋させるために必要な長さに形成されている。また、ガイド溝部２ｃには、第２の蓋体４に配されているローラ４ｃが、移動自在に係合されている。
【００２５】
第１の蓋体３には、蓋ギア部３ａと、蓋軸３ｂと、ヒンジ部３ｃとを備えている。蓋ギア部３ａは、図６に示すように、略扇形のギアで構成され、第１の蓋体３に固定され、駆動機構６における駆動部６ｇに噛み合っている。蓋軸３ｂは、第３の蓋体３に固定され、蓋軸受部２ｂに回動自在に軸支されている。ヒンジ部３ｃは、図１１Ａに示すように、第１の蓋体３の縁部に配されている軸であり、軸受部４ａに係合されている。
【００２６】
第２の蓋体４は、軸受部４ａと、ローラ軸部４ｂと、ローラ４ｃと、ビス４ｄとを備えている。軸受部４ａは、図１１Ａに示すように、第２の蓋体４の縁部に形成されており、ヒンジ軸３ｃを軸支している。ローラ軸部４ｂは、図１０Ａに示すように、ローラ４ｃを軸支している。ローラ４ｃは、ガイド溝部２ｃに移動自在に係合されている。なお、第１の蓋体３及び第２の蓋体４は、シャーシ２（保持枠の一例）に支持されているが、他の部位に支持されていてもよい。
【００２７】
駆動機構６は、モータ６ａと、ベルト６ｂと、プーリー６ｃと、中間ギア６ｄと、駆動ギア６ｅと、従動部６ｆと、駆動部６ｇと、キー部６ｈと、駆動軸６ｋと、連動ギア６ｍとを備えている。
【００２８】
モータ６ａは、その駆動力を出力するシャフトにプーリーが圧入されており、プーリーにベルト６ｂの一端が掛けられている。ベルト６ｂは、ゴムなどの弾性材料で構成され、モータ６ａから出力される駆動力をプーリー６ｃへ伝達している。
【００２９】
プーリー６ｃは、シャーシ２に回転自在に配されており、ベルト６ｂの他端が掛けられ、モータ６ａからベルト６ｂを介して伝達される駆動力によって回転駆動される。また、プーリー６ｃには、同軸にギアが配されており、プーリー３ｃが回転駆動されることでギアも回転する。
【００３０】
中間ギア６ｄは、シャーシ２に回転自在に配され、ギア比が異なる複数のギアを同軸に備えている。一方のギアは、プーリー３ｃに配されているギアに噛み合っており、他方のギアは、駆動ギア６ｅに噛み合っている。
【００３１】
駆動ギア６ｅは、駆動軸６ｋと駆動部６ｇが一体的に設けられ、中間ギア６ｄから伝達される駆動力によって回転駆動される。また、駆動ギア６ｅは、中間ギア６ｄに噛み合うギアと駆動部６ｇとの間に円筒部を備え、円筒部の側面に突起状のキー部６ｈを備えている。駆動部６ｇは、駆動軸６ｋの一方の端部に一体的に配され、蓋ギア部３ａに噛み合っている。駆動軸６ｋは、駆動ギア６ｅに一体に配されているとともに、その両端には駆動部６ｇと連動ギア６ｍとが配されている。連動ギア６ｍは、駆動軸６ｋの他端部に一体的に配され、蓋ギア部に噛み合っている。すなわち、駆動ギア６ｅが回転駆動されると、駆動部６ｇと駆動軸６ｋと連動ギア６ｍとが回転する。
【００３２】
間欠ギア７は、駆動軸６ｋに回転自在に軸支されているとともに、外周に間欠的にギアが形成されている。また、間欠ギア７は、中心に駆動ギア６ｅの円筒部が遊嵌される略円形の開口部が形成されている。また、間欠ギア７は、係合部７ａを備えている。係合部７ａは、開口部の内面に突出して形成され、駆動ギア６ｅが回転駆動する際に、所定のタイミングでキー部６ｈと当接する。
【００３３】
補助アーム８は、図１０Ａ〜図１２Ｂに示すように、ギア受け部２ａに回動自在に配されている。また、駆動アーム８には、ギア部８ａと、アーム部８ｂと、弾性部８ｃと、突起部８ｄとが一体的に配されている。ギア部８ａは、補助アーム８の回動軸と同軸位置に形成され、間欠ギア７と噛み合っている。アーム部８ｂは、補助アーム８の回動軸から離れる方向へ延設されており、図１０Ａ及び図１０Ｂに示す状態において、突起部２ｅに当接して位置決めされている。弾性部８ｃは、アーム部８ｂと略平行に形成され、図１０Ｂにおける矢印Ａ方向及びその逆方向へ弾性変形可能である。突起部８ｄは、バネ９の端部が当接され、補助アーム８が常時矢印Ａ方向へ付勢されている。
【００３４】
バネ９は、ねじりコイルバネで構成され、そのコイル部分が突起部２ｆに係合されている。また、バネ９の一端は補助アーム８の突起部８ｄに当接され、他端は係止部２ｇに係止されている。
【００３５】
スイッチレバー１０は、ガイド溝部２ｃの端部に配され、ローラ４ｃがガイド溝部２ｃの閉蓋端及びその近傍に位置している時に、ローラ４ｃによって回動される。具体的には、スイッチレバー１０は、シャーシ２に回動自在に配されており、ねじりコイルバネによって付勢されて構成され、ローラ４ｃによって押圧されると、バネの弾性力に抗して回動する。
【００３６】
検出スイッチ１１は、スイッチレバー１０の回動動作に連動してＯＮ／ＯＦＦが切り替えられるスイッチである。検出スイッチ１１が操作されることで、モータ６ａの動作をＯＮ／ＯＦＦさせることができる。
【００３７】
プリント基板１２は、後キャビネット１ｂ内に配され、シャーシ２に固定されている。
【００３８】
ディスクメカニズム１３（媒体保持部）は、ディスク１４を保持し所定回転数にて回転させるターンテーブル１３ａ、ディスク１４の情報層に対して信号の記録または再生を行うことができるピックアップなど、ディスク１４に対して信号の記録または再生を行うために必要な構成を備えている。
【００３９】
ギア固定片１５は、プーリー６ｃや中間ギア６ｄなどの部品を、シャーシ２との間に挟み込んで保持させる板状の部材である。
【００４０】
操作部１６は、前キャビネット１ａの主面に配され、電源スイッチ１６ａや開閉スイッチ１６ｂなどが含まれている。なお、図１に示すように蓋体が閉じている時に開閉スイッチ１６ｂを操作すると、蓋体を開くことができる。また、図２に示すように蓋体が開いている時に開閉スイッチ１６ｂを操作すると、蓋体を閉じることができる。具体的な開閉動作については、後述する。
【００４１】
２．動作
２−１．基本動作
まず、図１〜図５を参照して、蓋体の基本的な開閉動作について説明する。
【００４２】
図１に示す閉蓋状態から、図２に示す開蓋状態へ移行させる際は、まず、操作部１６に含まれている開閉ボタン１６ｂを操作する。すると、電源ユニットからモータ６ａに給電が開始され、モータ６ａが駆動する。
【００４３】
図４において、モータ６ａが駆動するとモータ６ａの出力軸が回転し、モータ６ａの出力軸に配されているプーリからベルト６ｂを介して、プーリー６ｃに駆動力が伝達される。さらに、プーリー６ｃから、中間ギア６ｄ、駆動ギア６ｅの順に減速駆動する。駆動ギア６ｅが回転されると、駆動ギア６ｅに一体に配されている駆動軸６ｋが回転され、さらに駆動軸６ｋに一体に配されている駆動部６ｇ及び連動ギア６ｍが回動される。
【００４４】
この時、図４に示すように、第２の蓋体４の先端に固定されたローラ軸部４ｂに軸支されるローラ４ｃが、シャーシ２の側方に形成されているガイド溝部２ｃに、上下方向を規制されながら摺動自在に支持されているため、結果的に第１の蓋体３及び第２の蓋体４は、ヒンジ軸５で折れながら開蓋することとなる。
【００４５】
モータ６ａがさらに駆動を続けると、第１の蓋体３は駆動軸６ｋを中心に回動を続ける。また、第２の蓋体４は、一端部を第１の蓋体３によって引き上げられながら、他端部に配されているローラ４ｃがガイド溝部２ｃによって案内される。よって、第１の蓋体３及び第２の蓋体４は、図２及び図５に示すように、ヒンジ部５で折れ曲がった状態で開蓋状態になる。
【００４６】
図２及び図５に示す開蓋状態において、ディスク１４をターンテーブル１３ａに着脱させることができる。
【００４７】
次に、ディスク１４をターンテーブル１３ａに装着し、ディスク１４に記録された信号を再生したり、ディスク１４に信号を記録したりする場合は、開閉スイッチ１６ｂを操作して第１の蓋体３及び第２の蓋体４を閉じる。次に、操作部１６に含まれている再生開始ボタンまたは記録開始ボタンを操作することで、ディスクメカニズム１３はディスク１４を回転駆動し、ピックアップによって信号の記録または再生を行うことができる。
【００４８】
なお、図２に示す開蓋状態において、一旦蓋体を閉じてから再生開始ボタンまたは記録開始ボタンを操作する操作法について説明したが、開蓋状態において再生開始ボタンまたは記録開始ボタンを操作することで、蓋体を閉じる動作に移行し、再生または記録を開始するように制御してもよい。
【００４９】
また、図４に示すように、蓋体３及び４の上下位置には、各々検出スイッチ１１が配置されており、蓋体３及び４の開閉動作により駆動してモータ６ａのＯＮ／ＯＦＦ制御に用いている。
【００５０】
２−２．蓋体の開閉動作
次に、図６〜図８を参照して、蓋体の具体的な開閉動作について説明する。
【００５１】
図６に示すように、駆動部６ｇは、第１の筐体３における蓋ギア部３ａに噛み合っているため、図６に示す閉蓋状態から駆動部６ｇが回転されることにより、その駆動力は蓋ギア部３ａに伝達される。
【００５２】
蓋ギア部３ａは、伝達される駆動力によって矢印Ｂ方向へ回動され、それに伴い、第１の蓋体３が蓋軸３ｂを軸に矢印Ｃ方向へ回動を始める。回動途中の状態を図７に示す。
【００５３】
図７に示すように、第１の蓋体３が回動されると、一端をヒンジ部５で連結され他端がガイド溝部２ｃ（図４参照）に案内された第２の蓋体４は、第１の蓋体３に対して屈曲しながら矢印Ｅ方向へ移動する。蓋体３及び４の開蓋状態を図８に示す。
【００５４】
図８に示す開蓋状態から、蓋体３及び４を閉じる場合は、モータ６ａ（図４参照）を開蓋時とは逆に動作させることで、駆動部６ｇは逆方向へ回転する。これにより、駆動部６ｇに噛み合っている蓋ギア部３ａは、矢印Ｆ方向へ回動を開始し、第１の蓋体３及び第２の蓋体４は矢印Ｇ方向へ移動を開始する。
【００５５】
第１の蓋体３及び第２の蓋体４は、図７に示す状態を経て、図６に示す閉蓋状態へ移動される。
【００５６】
２−３．開閉時の補助動作
図１０Ａに示すように、開蓋時、第１の蓋体３が矢印Ｈ方向へ回動されることで、ローラ４ｃはガイド溝部２ｃに案内されて矢印Ｋ方向へ移動される。すなわち、第２の蓋体４の先端はローラ４ｃ及びガイド溝部２ｃにより案内されることにより、蓋体３及び４が開蓋位置に近づくにつれ、ローラ４ｃは蓋軸３ｂ（図６参照）に近づく。
【００５７】
次に、蓋体３及び４が図１１Ａに示す位置まで移動すると、蓋軸３ｂを駆動して第１の蓋体３を矢印Ｌ方向へ回動させようとしても、第２の蓋体４の先端には開蓋方向（矢印Ｌ方向）への分力が作用しない。よって、ローラ４ｃは、矢印Ｍ方向への力が働き、ガイド溝部２ｃの溝終端部２ｄにおいてガイド面に圧接される。
【００５８】
図１１Ａに示す状態からさらに蓋軸３ｂに駆動力を印可し、第１の蓋体３に対して矢印Ｌ方向の力を加えることで、蓋体３及び４を図１２Ａに示す位置まで移動させることは可能であるが、確実に図１２Ａに示す位置まで移動するとは限らない。よって、蓋体３及び４の開蓋位置が不安定になると共に、駆動機構に過大な負荷が作用してしまい、異常の原因となる。
【００５９】
蓋体３及び４の動作の円滑を期待して、溝終端部２ｄの形状を機器の表面寄りに湾曲させて形成する構成が考えられる。しかし、図１０Ａ等に示すように、ガイド溝部２ｃはフレーム２の上端近傍に形成されているため、ガイド溝部２ｃや溝終端部２ｄを機器の表面寄りに形成するのは困難である。仮に、動作に支障ない範囲で開蓋を終了せんとして蓋軸３ｂを上方に移設したとしても、機器全体の高さを増すこととなり、蓋体の占有スペースを減じたいとの狙いに反することとなる。
【００６０】
このため、開蓋動作の終端近辺で、ローラ４ｃの動作を補助することにより、開蓋動作を円滑に行うことができるとともに、設置スペースを増すことなく品位のよい開閉動作に有用であることがわかる。
【００６１】
そこで、本実施の形態では、補助アーム８を配置させている。図１０Ａ〜図１２Ｂを参照して、補助アーム８による開閉補助動作について説明する。
【００６２】
図１０Ｂに示すように、駆動ギア６ｅには、同軸に間欠ギア７が支持されており、両ギアの係合部には駆動ギア６ｅの円筒外周の一部にキー部６ｈが、間欠ギア７の内周の一部に係合部７ａが、それぞれ凸設されている。閉蓋状態から開蓋状態に至る過半の動作で、間欠ギア７は停止した状態で駆動ギア６ａは矢印Ｎ方向へ回転され、キー部６ｈは間欠ギア７の内周を空転する。この時、補助アーム８は、バネ９によって矢印Ａ方向へ付勢され、アーム部８ｂが突起部２ｅに当接している。また、補助アーム８は、ガイド溝部２ｃに重ならない位置に待避している。
【００６３】
図１０Ａ及び図１０Ｂに示す状態から開蓋状態に近づき、ローラ４ｃがガイド溝部２ｃに案内されて補助アーム８の上部を通過した後、図１１Ａ及び図１１Ｂに示すようにキー部６ｈは係合部７ａに当接する。さらに駆動ギア６ｅが回転を続けると、キー部６ｈは係合部７ａを押圧し、間欠ギア７は矢印Ｎ方向へ回転駆動される。間欠ギア７には補助アーム８のギア部８ａが噛み合っており、補助アーム８は、間欠ギア７の回転駆動に伴って矢印Ｐ方向へ回動される。補助アーム８の回動速度は、ローラ４ｃの移動速度よりも速くなるように、ギア比などが設定されているので、やがて補助アーム８はローラ４ｃに当接する。
【００６４】
さらに、間欠ギア７は回転駆動が継続されているため、補助アーム８は回動を続け、補助アーム８はローラ４ｃを矢印Ｐ方向へ押圧する。ローラ４ｃは補助アーム８に押圧されることより、ガイド溝部２ｃに案内されて矢印Ｐ方向へ移動される。これにより、蓋体３及び４がさらに開蓋方向へ移動される。
【００６５】
図１２Ａ及び図１２Ｂに示すように、蓋体３及び４が開蓋状態に到達すると、ローラ４ｃはガイド溝部２ｃの端部に到達する。さらに、補助アーム８に駆動力が印可されることで、補助アーム８に設けられている弾性部８ｃがローラ４ｃを押圧しながら撓み、弾性部８ｃとアーム部８ｂとが当接する。図１２Ａ及び図１２Ｂに示す状態に到達することで、モータ６ａの駆動は停止し、蓋ギア部３ａや補助アーム８などの駆動は停止する。
【００６６】
次に、図１２Ａ及び図１２Ｂに示す開蓋状態から、蓋体３及び４を閉じる場合は、モータ６ａが逆回転に動作し、ベルト６ｂ、プーリー６ｃ、ギア類などが、開蓋時とは逆方向に回転動作を行う。よって、蓋ギア部３ａも逆方向へ回転されるため、第１の蓋体３は、蓋軸３ｂを軸に矢印Ｒ方向へ回動するよう駆動される。
【００６７】
蓋体３及び４の閉蓋動作の当初、第１の蓋体３はモータ６ａからの駆動力によって回動されるが、第２の蓋体４はローラ４ｃがガイド溝部２ｃに案内されながら、自重により矢印Ｒ方向へ移動する。
【００６８】
この時、ガイド溝部２ｃは、溝終端部２ｄの溝幅を、他の部位よりも幅広に形成されている。すなわち、閉蓋寄りの過半を占めるガイド溝部２ｃがローラ４ｃの径を僅かに上回る幅に設定されているのに対し、溝終端部２ｄの幅はローラ４ｃの径を大きく上回る幅に設定されている。これにより、閉蓋動作の当初、第１の蓋体３が起動し、アーム部８ｂがローラ４ｃの位置決め状態が開放されると、第２の筐体４はヒンジ軸３ｃを軸として自重によりローラ４ｃは下方に移動する。
【００６９】
以降、第１の蓋体３の駆動により、ローラ４ｃは下方への分力成分を得て、円滑にガイド溝部２ｃに沿って移動する。
【００７０】
以上のように本実施の形態によれば、補助アーム８によって、第２の蓋体４の先端を直接補助駆動することにより、蓋体３及び４の開蓋角度を十分大きく取り、限られた設置高さで十分なディスクの着脱スペースを得ることができる。
【００７１】
また、補助アーム８のアーム部８ｂには一体に弾性部８ｃが設けられており、開動作の終端ではローラ４ｃを押しながら弾性部８ｃが撓み、開蓋位置でアーム部８ｂに当接する構成により、蓋体３及び４がベルト６ｂの伸び、ギア間の隙間等の要因で開蓋完了時に駆動力の切断と共に反動動作することを抑止する効果がある。すなわち、従来の蓋体装置では、駆動系に不可欠な部品同士の隙間や部品の弾性により、開蓋動作の終端において蓋体がバウンド動作する可能性があり、品位を低下させてしまうという問題点があった。本実施の形態では、開蓋動作の終端近傍において第２の蓋体４が補助アーム８によって押圧されるため、蓋体のバウンド動作を抑止することができる。
【００７２】
なお、本実施の形態では、ローラ４ｃの下方への初動を第２の蓋体４の自重によることとしているが、ヒンジ軸３ｃの周囲に第１の蓋体３及び第２の蓋体４を閉蓋方向に付勢するバネを設けて、強制的に起動させる構成としてもよい。
【産業上の利用可能性】
【００７３】
本発明にかかる蓋体装置は、蓋体でカバーする面積、位置、開閉の方向性に係らず、省スペースで高品位、かつ操作性の良好なディスク機器の実現に応用でき、実用上はなはだ有用である。
【図面の簡単な説明】
【００７４】
【図１】本発明の実施の形態における電子機器の構成を示す外観斜視図
【図２】電子機器の開蓋状態の外観斜視図
【図３】蓋体及び前キャビネットを取り外した状態の電子機器を示す正面図
【図４】閉蓋状態における駆動機構の断面図
【図５】開蓋状態における駆動機構の断面図
【図６】閉蓋状態における蓋軸受部を含む断面図
【図７】開蓋に近づいた状態における蓋軸受部を含む断面図
【図８】開蓋状態における蓋軸受部を含む断面図
【図９】開蓋状態におけるディスクの着脱操作を示す断面図
【図１０Ａ】閉蓋状態における補助アームの作用を示す断面図
【図１０Ｂ】閉蓋状態における補助アームの作用を示す要部断面図
【図１１Ａ】開蓋に近づいた状態における補助アームの作用を示す断面図
【図１１Ｂ】開蓋に近づいた状態における補助アームの作用を示す要部断面図
【図１２Ａ】開蓋状態における補助アームの作用を示す断面図
【図１２Ｂ】開蓋状態における補助アームの作用を示す要部断面図
【符号の説明】
【００７５】
１  機器本体
２  シャーシ
２ｃ  ガイド溝部
２ｄ  溝終端部
２ｇ  係止部
３  第１の蓋体
４  第２の蓋体
５  ヒンジ軸
６  駆動機構
７  間欠ギア
８  補助アーム
１３  ディスクメカニズム
１４  ディスク
【図１】
2007234105.tif 000003
【図２】
2007234105.tif 000004
【図３】
2007234105.tif 000005
【図４】
2007234105.tif 000006
【図５】
2007234105.tif 000007
【図６】
2007234105.tif 000008
【図７】
2007234105.tif 000009
【図８】
2007234105.tif 000010
【図９】
2007234105.tif 000011
【図１０Ａ】
2007234105.tif 000012
【図１０Ｂ】
2007234105.tif 000013
【図１１Ａ】
2007234105.tif 000014
【図１１Ｂ】
2007234105.tif 000015
【図１２Ａ】
2007234105.tif 000016
【図１２Ｂ】
2007234105.tif 000017